(57)【要約】      （修正有）【課題】レンズホルダをガイドするガイドバーを備えた、組み立て容易な小型のレンズ鏡筒を提供する。【解決手段】レンズ鏡筒は、レンズホルダ１０１１と、レンズホルダ１０１１をレンズの光軸方向へ直進ガイドするバー部材１０１５と、バー部材１０１５の一端を保持する第一のバー保持部材と、バー部材１０１５の他端を保持する第二のバー保持部材１０１４と、第二のバー保持部材１０１４を挿入する開口部が形成されたベース部材１０１２とを有し、第二のバー保持部材１０１４は、開口部に挿入される軸部と、開口部の開口径よりも大きい外径を有する鍔部とを有し、第二のバー保持部材１０１４とベース部材１０１２の一方には、開口部の開口径よりも大きい外径を有する複数の突起部が設けられ、第二のバー保持部材１０１４とベース部材１０１２の他方には、鍔部と突起部との間に位置するフランジ部が設けられている。【選択図】図１
2018077381.tif 000002
【特許請求の範囲】
【請求項１】
レンズを保持するレンズホルダと、
前記レンズホルダに挿入され該レンズホルダを前記レンズの光軸方向へ直進ガイドするバー部材と、
前記バー部材の一端を保持する第一のバー保持部材と、
前記バー部材の他端を保持する第二のバー保持部材と、
前記第二のバー保持部材を挿入する開口部が形成されたベース部材と、を有し、
前記第二のバー保持部材は、
前記ベース部材の前記開口部に挿入される軸部と、
前記ベース部材の前記開口部の開口径よりも大きい外径を有する鍔部と、を有し、
前記第二のバー保持部材と前記ベース部材の一方には、前記鍔部よりも前記第一のバー保持部材に近い側に設けられ、前記ベース部材の前記開口部の前記開口径よりも大きい外径を有する複数の突起部が設けられており、
前記第二のバー保持部材と前記ベース部材の他方には、前記鍔部と前記突起部との間に位置するフランジ部が設けられている、
ことを特徴とするレンズ鏡筒。
【請求項２】
前記複数の突起部は、前記第二のバー保持部材に設けられており、
前記フランジ部は、前記ベース部材に設けられている、
ことを特徴とする請求項１に記載のレンズ鏡筒。
【請求項３】
前記第一のバー保持部材は、被写体側に設けられ、
前記第二のバー保持部材は、像面側に設けられている、
ことを特徴とする請求項２に記載のレンズ鏡筒。
【請求項４】
前記ベース部材の前記開口部の内周面は、前記第二のバー保持部材の前記レンズの光軸と直交する平面内における移動を規制する、
ことを特徴とする請求項２または３に記載のレンズ鏡筒。
【請求項５】
前記ベース部材は、前記レンズの光軸と直交する平面内において前記第二のバー保持部材の前記鍔部に当接する当接面を有する、
ことを特徴とする請求項２乃至４のいずれか１項に記載のレンズ鏡筒。
【請求項６】
前記第二のバー保持部材の前記鍔部は、前記ベース部材の前記当接面に対して摺動可能な摺動面を有する、
ことを特徴とする請求項５に記載のレンズ鏡筒。
【請求項７】
前記第二のバー保持部材は、前記ベース部材に対して、前記レンズの光軸と直交する平面内において移動することにより、前記バー部材を傾斜させて前記レンズに関する光学調整を行うことが可能である、
ことを特徴とする請求項２乃至６のいずれか１項に記載のレンズ鏡筒。
【請求項８】
前記第二のバー保持部材の前記軸部の外径は、前記ベース部材の前記開口部の前記開口径よりも小さい、
ことを特徴とする請求項２乃至７のいずれか１項に記載のレンズ鏡筒。
【請求項９】
前記ベース部材の前記開口部には、前記第二のバー保持部材に設けられた前記複数の突起部を挿入するための複数の凹部が該複数の突起部のそれぞれに対応して設けられている、
ことを特徴とする請求項２乃至８のいずれか１項に記載のレンズ鏡筒。
【請求項１０】
前記第二のバー保持部材は、前記複数の凹部のそれぞれに前記前記複数の突起部を挿入してから、前記レンズの光軸に直交する平面内において前記ベース部材に対して回転させた状態で、前記ベース部材に固定されている、
ことを特徴とする請求項９に記載のレンズ鏡筒。
【請求項１１】
前記ベース部材の前記フランジ部の面には、少なくとも一つの凸部が設けられており、
前記凸部の前記光軸方向の突出量は、前記フランジ部の面と前記第二のバー保持部材の前記複数の突起部のそれぞれとの隙間よりも大きい、
ことを特徴とする請求項１０に記載のレンズ鏡筒。
【請求項１２】
前記レンズの光軸方向視において、前記第二のバー保持部材の前記複数の凹部のうちの一つの中心と前記レンズの光軸とを結ぶ線と、前記凸部の少なくとも一部と前記光軸を通る線とのなす角度をαとするとき、
０°＜α＜６０°
を満足する、
ことを特徴とする請求項１１に記載のレンズ鏡筒。
【請求項１３】
前記第二のバー保持部材に設けられた前記複数の突起部は、前記第二のバー保持部材を前記ベース部材へ挿入する際に変形することが可能である、
ことを特徴とする請求項２乃至８のいずれか１項に記載のレンズ鏡筒。
【請求項１４】
正多角形の形状を有する光学素子と、
前記光学素子の前記形状に対応する正多角形の形状を有する開口部が設けられ、該開口部に対応する位置で前記光学素子を保持するホルダと、
前記光学素子を前記ホルダに固定する固定部と、を有し、
前記固定部は、前記正多角形の前記光学素子と前記ホルダの各辺の一部を固定している、
ことを特徴とするレンズ鏡筒。
【請求項１５】
前記固定部は、前記正多角形の前記光学素子と前記ホルダの各辺の中心を含み、かつ、各辺の交点を除く箇所において、該光学素子を該ホルダに固定している、
ことを特徴とする請求項１４に記載のレンズ鏡筒。
【請求項１６】
前記固定部は、カシメツメまたは接着剤である、
ことを特徴とする請求項１４または１５に記載のレンズ鏡筒。
【請求項１７】
前記光学素子は、正方形の形状を有することを特徴とする請求項１４乃至１６のいずれか１項に記載のレンズ鏡筒。
【請求項１８】
請求項１乃至１７のいずれか１項に記載のレンズ鏡筒と、
前記レンズ鏡筒を介して形成された光学像を光電変換して画像データを出力する撮像素子と、
を有することを特徴とする撮像装置。
【発明の詳細な説明】
【技術分野】
【０００１】
本発明は、レンズホルダをガイドするガイドバーを備えたレンズ鏡筒に関する。
【背景技術】
【０００２】
従来から、ガイドバーを用いてレンズホルダの光軸方向の移動をガイドする機構を備えたレンズ鏡筒が知られている。特許文献１には、ガイドバー（ガイドポール）の一端を撮像素子固定枠に係合した状態で撮像素子固定枠（ガイドバー保持部材）の位置を調整してガイドポールを傾けることにより、光軸を調整することが可能なレンズ装置が開示されている。また特許文献１には、撮像素子固定枠の位置の調整後に、撮像素子固定枠に対して外部に露出可能な状態で取り付けられた固定用部材を用いて、撮像素子固定枠およびガイドポールの位置を固定する方法が開示されている。特許文献２には、ガイドバー（ガイド軸）の一端を保持する偏芯軸受（ガイドバー保持部材）を備え、偏芯軸受がレンズ枠から外れないように構成されたレンズ装置が開示されている。
【０００３】
また従来から、カバーガラス（光学素子）を用いて、レンズ鏡筒の内部に設けられたレンズ群を保護するレンズ鏡筒が知られている。特許文献３には、撮像素子に固定された接合レンズと対向する面が多角形であり、多角形を形成する辺と接触する傾斜面又は湾曲面からなるガイド面を有するガイド手段を備えた撮像モジュールが開示されている。
【先行技術文献】
【特許文献】
【０００４】
【特許文献１】特開２００７−００３８４２号公報
【特許文献２】特開２０１１−４８０８０号公報
【特許文献３】特許第４１２９１５４号公報
【発明の概要】
【発明が解決しようとする課題】
【０００５】
しかしながら、特許文献１および特許文献２に開示されたレンズ装置において、ガイドバーの一端を保持して光軸直交平面内で偏芯する部材（バー保持部材）は、ガイドバーからの脱落を防止する脱落防止機構を要し、省スペース化（小型化）が図られていない。一方、このような脱落防止機構を設けない場合、ガイドバーからガイドバー保持部材が脱落し、組み直しなどの作業工程の増加や部品の紛失のおそれがある。
【０００６】
また、特許文献３に開示された撮像モジュールにおいて、接合レンズはガイド手段に対して位置調整された状態固定（接着）されるため、接着剤による接合レンズ（光学素子）への応力は不均一となる。
【０００７】
そこで本発明は、レンズホルダをガイドするガイドバーを備えた、組み立て容易な小型のレンズ鏡筒および撮像装置を提供することを目的とする。また本発明は、光学素子の歪みを均一にして光学性能の劣化を抑制するレンズ鏡筒および撮像装置を提供する。
【課題を解決するための手段】
【０００８】
本発明の一側面としてのレンズ鏡筒は、レンズを保持するレンズホルダと、前記レンズホルダに挿入され該レンズホルダを前記レンズの光軸方向へ直進ガイドするバー部材と、前記バー部材の一端を保持する第一のバー保持部材と、前記バー部材の他端を保持する第二のバー保持部材と、前記第二のバー保持部材を挿入する開口部が形成されたベース部材とを有し、前記第二のバー保持部材は、前記ベース部材の前記開口部に挿入される軸部と、前記ベース部材の前記開口部の開口径よりも大きい外径を有する鍔部とを有し、前記第二のバー保持部材と前記ベース部材の一方には、前記鍔部よりも前記第一のバー保持部材に近い側に設けられ、前記ベース部材の前記開口部の前記開口径よりも大きい外径を有する複数の突起部が設けられており、前記第二のバー保持部材と前記ベース部材の他方には、前記鍔部と前記突起部との間に位置するフランジ部が設けられている。
【０００９】
本発明の他の側面としてのレンズ鏡筒は、正多角形の形状を有する光学素子と、前記光学素子の前記形状に対応する正多角形の形状を有する開口部が設けられ、該開口部に対応する位置で前記光学素子を保持するホルダと、前記光学素子を前記ホルダに固定する固定部とを有し、前記固定部は、前記正多角形の前記光学素子と前記ホルダの各辺の一部を固定している。
【００１０】
本発明の他の側面としての撮像装置は、前記レンズ鏡筒と、前記レンズ鏡筒を介して形成された光学像を光電変換して画像データを出力する撮像素子とを有する。
【００１１】
本発明の他の目的及び特徴は、以下の実施例において説明される。
【発明の効果】
【００１２】
本発明によれば、レンズホルダをガイドするガイドバーを備えた、組み立て容易な小型のレンズ鏡筒および撮像装置を提供することができる。また本発明によれば、光学素子の歪みを均一にして光学性能の劣化を抑制するレンズ鏡筒および撮像装置を提供することができる。
【図面の簡単な説明】
【００１３】
【図１】各実施例におけるレンズ鏡筒の断面図である。
【図２】実施例１におけるレンズ鏡筒の要部の分解斜視図である。
【図３】実施例１におけるレンズ鏡筒の要部の断面図である。
【図４】実施例１における調整コマの斜視図である。
【図５】実施例１における調整コマを３群ベース側から見た図（最大偏芯状態を示す図）である。
【図６】実施例１における調整コマを３群ベース側から見た図（組み込み位相を示す図）である。
【図７】実施例１における調整コマを３群ベース側から見た図（調整コマが５群鏡筒に組み込まれた状態を示す図）である。
【図８】図７中のＡ−Ａ断面図である。
【図９】実施例１における調整コマを３群ベース側から見た図（調整コマを５群鏡筒に組み込む過程の状態を示す図）である。
【図１０】図９中のＣ−Ｃ断面図である。
【図１１】実施例２における調整コマの斜視図である。
【図１２】実施例２における調整コマの斜視図（図１１の反対側から見た図）である。
【図１３】実施例２における５群鏡筒を３群ベース側から見た図である。
【図１４】実施例２における調整コマを５群鏡筒に組み込む過程の状態を示す断面図である。
【図１５】実施例２における調整コマが５群鏡筒に組み込まれた状態を示す断面図である。
【図１６】実施例３におけるレンズ鏡筒を被写体側から見た正面図である。
【図１７】図１６中のＥ−Ｅ断面図である。
【図１８】各実施例における撮像装置の構成図である。
【発明を実施するための形態】
【００１４】
以下、本発明の実施例について、図面を参照しながら詳細に説明する。
【実施例１】
【００１５】
まず、実施例１におけるレンズ鏡筒について説明する。図１は、本実施例におけるレンズ鏡筒１００の断面図である。レンズ鏡筒１００は、マウント１００１を介して、後述のカメラボディ２０と着脱可能に取り付けられる。
【００１６】
外装環１００２は、マウント１００１に対して径嵌合し、光軸ＯＡに沿った方向（光軸方向）において当接して光軸方向の位置が規制された状態でビスを用いて締結されている。案内筒１００３は、外装環１００２に対して径嵌合し、光軸方向において当接して光軸方向の位置が規制された状態でビスを用いて締結されている。
【００１７】
カム環１００４は、案内筒１００３に対して径嵌合するとともに、案内筒１００３とバヨネット結合することにより光軸方向への移動が規制され、定位置回転を行う。案内筒１００３およびカム環１００４には、レンズを保持する１群鏡筒１００５とネジ結合されたフィルター枠１００６を直進ガイドする直進溝（不図示）およびカム溝（不図示）が形成されている。また案内筒１００３およびカム環１００４には、レンズを保持する２群鏡筒１００７をコロ吊りする２群ベース１００８をレンズの光軸方向に移動（進退）させるため、それぞれ直進ガイドする直進溝（不図示）およびカム溝（不図示）が形成されている。また、案内筒１００３とカム環１００４とにより、絞りユニット１００９、３群ユニット（手振れ補正ユニット）１０１０、４群鏡筒１０１１、および、５群鏡筒１０１２が一体的に結合されて構成される後群ユニットを、光軸方向に移動（進退）させる。このため、案内筒１００３およびカム環１００４にはそれぞれ、直進ガイドする直進溝（不図示）およびカム溝（不図示）が形成されている。
【００１８】
フィルター枠１００６に設けられたカムフォロア（不図示）は、案内筒１００３およびカム環１００４に設けられて直進ガイドする直進溝（不図示）およびカム溝（不図示）に係合されている。２群ベース１００８に設けられているカムフォロア（不図示）は、案内筒１００３およびカム環１００４に設けられて直進ガイドする直進溝（不図示）およびカム溝（不図示）に係合している。後群ユニットは、３群ユニット１０１０内の３群ベース１０１３に取り付けられるカムフォロア（不図示）が、案内筒１００３およびカム環１００４に設けられて直進ガイドする直進溝（不図示）およびカム溝（不図示）に係合している。５群鏡筒１０１２の径方向の位置は、位置決めピンと孔が係合して決定される。５群鏡筒１０１２は、光軸方向において３群ベース１０１３と当接してビスで締結される。
【００１９】
４群鏡筒１０１１はフォーカス群であり、ガイドバー１０１５（バー部材）により保持されている。すなわち４群鏡筒１０１１は、レンズ（フォーカスレンズ）を保持するレンズホルダである。ガイドバー１０１５は、４群鏡筒１０１１に挿入され４群鏡筒１０１１を光軸方向へ直進ガイドする。またガイドバー１０１５は、その一端（被写体側）が３群ベース１０１３（第一のバー保持部材）に保持され、その他端（像面側）が調整コマ１０１４（第二のバー保持部材）に保持されている。
【００２０】
調整コマ１０１４は、５群鏡筒１０１２（ベース部材）に当接して固定されている。調整コマ１０１４の周囲の構造については、後述する。４群鏡筒１０１１を光軸方向に進退させる駆動手段は、駆動源となるモータ（不図示）を有する。また駆動手段は、モータ（不図示）により回転される送りねじ（不図示）と、レンズを保持する４群鏡筒１０１１に取り付けられて送りねじに係合するラック（不図示）とを備えて構成されている。ラックは、送りねじの回転を光軸方向への駆動力に変換し、４群鏡筒１０１１を光軸方向に移動させる。４群鏡筒１０１１は、光軸方向に延びるガイドバー１０１５に摺動可能に係合することにより、光軸方向において直進ガイドされる。
【００２１】
ラックは、４群鏡筒１０１１に対して、光軸方向に延びる軸（不図示）を中心として回転可能に保持される。そしてラックは、ねじりコイルばね（不図示）が発生するねじり方向の付勢力によって回転方向に付勢され、送りねじ（不図示）とガイドバー１０１５に対して、それらの径方向のうち一方向から押圧されている。またラックは、ねじりコイルばねが発生する光軸方向の付勢力によって付勢され、４群鏡筒１０１１に対して、光軸方向のうち一方向から押圧されている。これらの付勢力によってラック、送りねじ、ガイドバー１０１５、および、４群鏡筒１０１１が互いに押圧されて、これらの間のガタつきが防止される。
【００２２】
ズーム操作環１０１６は、外装環１００２に対してバヨネット結合により光軸方向への移動が規制され、定位置回転を行う。カム環１００４の外形部にはズームキー（不図示）が固定されており、ズームキーがズーム操作環１０１６と係合することにより、ズーム操作環１０１６の光軸周りの回転と連動して、カム環１００４が回転する。
【００２３】
フォーカスリング１０１７は、外装環１００２と規制枠１０１８とで光軸方向で挟みこまれて、光軸方向への移動が規制され、外装環１００２に対して径嵌合する。規制枠１０１８は、外装環１００２に対して径嵌合し、外装環１００２の被写体側端面と当接する。また規制枠１０１８は、一体的に形成された弾性を有する複数の係止爪（不図示）により、外装環１００２に締結される。フォーカスリング１０１７の内周部のフランジ部１０１９には、周方向に周期的なスリット形状が設けられている。フォーカスリング１０１７の回転量および回転方向を検出する検出部材（不図示）は、このスリット形状の回転方向への移動を光学的に検出するように周方向に所定の間隔で並んだ２つのフォトインタラプタを備えて構成されている。
【００２４】
４群鏡筒１０１１は、検出部材の出力に基づく基板１０２０上の制御回路からの所定の駆動信号に応じたモータ（不図示）の回転により、光軸方向へ進退する。３群ベース１０１３に組み込まれたフォーカスリセットスイッチ（不図示）は、４群鏡筒１０１１に形成された遮光壁（不図示）の光軸方向への移動を光学的に検出するフォトインタラプタを備えて構成されている。フォーカスリセットスイッチは、４群鏡筒１０１１が基準位置に位置していることを検出するために設けられている。
【００２５】
レンズ鏡筒１００において、マウント１００１には、正多角形の形状を有するカバーガラス１０５１（光学素子）が設けられている。マウント１００１には、カバーガラス１０５１の形状に対応する正多角形の形状を有する開口部が設けられており、マウント１００１は、その開口部に対応する位置でカバーガラス１０５１を保持するホルダとして機能する。
【００２６】
図２は、レンズ鏡筒１００の要部の分解斜視図である。図３は、レンズ鏡筒１００の要部の断面図である。３群ベース１０１３と５群鏡筒１０１２とは、３群ベース１０１３に設けられた位置決め突起１０２３と５群鏡筒１０１２の嵌合孔１０２４とが係合して光軸方向からビス止めされることにより締結される。
【００２７】
ガイドバー１０１５の一端（被写体側）は、３群ベース１０１３（第一のバー保持部材）に設けられたバー保持部１０２１により保持されている。ガイドバー１０１５の他端（像面側）は、調整コマ１０１４（第二のバー保持部材）のバー保持部１０２２により保持されている。調整コマ１０１４は、５群鏡筒１０１２の後側（３群ベース１０１３とは反対側）から組み込まれる。調整コマ１０１４の光軸方向の位置は、５群鏡筒１０１２に組み込まれた際に、光軸ＯＡと直交する平面（光軸直交平面）である５群鏡筒１０１２の突き当て面１０２５と調整コマ１０１４の突き当て面１０２６とが互いに当接することにより決定される。このように５群鏡筒１０１２は、光軸直交平面内において調整コマ１０１４の外形部１０２９（鍔部）に当接する当接面（突き当て面１０２５）を有する。また調整コマ１０１４の外形部１０２９は、５群鏡筒１０１２の当接面（突き当て面１０２５）に対して摺動可能な摺動面（突き当て面１０２６）を有する。
【００２８】
移動規制部１０２７（軸部）は、調整コマ１０１４に設けられている。移動規制部１０２７は、５群鏡筒１０１２（ベース部材）に設けられた開口部１０２８に挿通（挿入かつ貫通）しており、開口部１０２８よりも径小であることにより光軸直交平面内での５群鏡筒１０１２に対する調整コマ１０１４の移動を規制する。すなわち、５群鏡筒１０１２の開口部１０２８の内周面は、調整コマ１０１４の光軸直交平面内における移動を規制する。
【００２９】
５群鏡筒１０１２の開口部１０２８と、調整コマ１０１４の移動規制部１０２７との間には、光軸直交平面内において隙間がある。すなわち、調整コマ１０１４の移動規制部１０２７（軸部）の外径は、５群鏡筒１０１２の開口部１０２８の開口径よりも小さい。このため調整コマ１０１４は、５群鏡筒１０１２に対して、光軸直交平面内において移動することにより、３群ベース１０１３に設けられたバー保持部１０２１を回転中心として任意の方向にガイドバー１０１５を倒す（傾斜させる）ことが可能である。その際、５群鏡筒１０１２の突き当て面１０２５と調整コマ１０１４の突き当て面１０２６とが互いに当接した状態を維持するように、工具を用いてこれらを付勢する。これにより、ガイドバー１０１５が倒されることにより、レンズを保持する４群鏡筒１０１１が倒され、光学的な調整（フォーカス群の光軸調整（光学調整））を行うことができる。すなわち調整コマ１０１４は、５群鏡筒１０１２に対して、光軸直交平面内において移動することにより、ガイドバー１０１５を傾斜させてレンズ（フォーカスレンズ）に関する光学調整を行うことが可能である。
【００３０】
調整コマ１０１４の突き当て面１０２６を形成する外形部１０２９（鍔部）は、５群鏡筒１０１２に設けられた開口部１０２８よりも大きい外径を有する。このため、調整コマ１０１４が開口部１０２８において光軸直交平面内の移動が規制されるまで移動した場合でも、開口部１０２８を覆っている。
【００３１】
図４は、調整コマ１０１４の斜視図である。図５は、調整コマ１０１４を３群ベース１０１３側から見た図であり、最大偏芯状態を示している。突起部１０３０は、調整コマ１０１４に一体的に形成されており、光軸直交平面内において対向する２箇所において、外形部１０２９（鍔部）よりも３群ベース１０１３に近い側に設けられている。ただし本実施例はこれに限定されるものではなく、突起部１０３０を３箇所以上に設けてもよい。この場合、複数の突起部１０３０を略同一の間隔で設けることが好ましい。複数の突起部１０３０のそれぞれの最外形部１０３１（外径）は、５群鏡筒１０１２の開口部１０２８よりも大きい。また、調整コマ１０１４が図５中に示される矢印１０３２の方向へ、開口部１０２８の光軸直交平面内の移動が規制されるまで移動した場合でも、突起部１０３０の最外形部１０３１は必ず５群鏡筒１０１２の開口部１０２８よりも径大な位置にある。切り欠き部１０３３（凹部）は、５群鏡筒１０１２の開口部１０２８の一部に設けられており、調整コマ１０１４の突起部１０３０と同数設けられている。すなわち、５群鏡筒１０１２の開口部１０２８には、調整コマ１０１４に設けられた複数の突起部１０３０を挿入するための複数の切り欠き部１０３３が複数の突起部１０３０のそれぞれに対応して設けられている。
【００３２】
図６および図７は、調整コマ１０１４を３群ベース１０１３側から見た図である。図６は調整コマ１０１４を５群鏡筒１０１２に組み込む際の状態（組み込み位相）を示し、図７は調整コマ１０１４が５群鏡筒１０１２に組み込まれた状態を示している。調整コマ１０１４を５群鏡筒１０１２に組み込む際に、図６に示されるように、調整コマ１０１４は、突起部１０３０を５群鏡筒１０１２の切り欠き部１０３３と光軸直交平面で重なる状態にして５群鏡筒１０１２に組み込まれる。調整コマ１０１４を５群鏡筒１０１２に組み込む際に、光軸ＯＡと直交する５群鏡筒１０１２の突き当て面１０２５と調整コマ１０１４の突き当て面１０２６とが互いに当接することにより、調整コマ１０１４の光軸方向の位置が決定される。その後、図６の状態から図７の状態へ、光軸直交平面内において調整コマ１０１４を５群鏡筒１０１２に対して回転させることにより、調整コマ１０１４が５群鏡筒１０１２に組み込まれる。このように調整コマ１０１４は、複数の切り欠き部１０３３のそれぞれに複数の突起部１０３０を挿入してから、光軸直交平面内において５群鏡筒１０１２に対して回転させた状態で、５群鏡筒１０１２に固定されている。
【００３３】
図８は、図７中のＡ−Ａ断面図である。調整コマ１０１４の突起部１０３０と突き当て面１０２６を形成する外形部１０２９との間に、５群鏡筒１０１２（５群鏡筒１０１２のフランジ部１０４５）が挟まれる。すなわちフランジ部１０４５は、調整コマ１０１４の外形部１０２９と５群鏡筒１０１２とに位置している。調整コマ１０１４の突起部１０３０と５群鏡筒１０１２（フランジ部１０４５）との間には隙間１０３４がある。図７に示されるように、５群鏡筒１０１２（フランジ部１０４５）には、少なくとも一つの半球状の凸部１０３５（球状突起）が設けられている。好ましくは、凸部１０３５は、調整コマ１０１４の複数の切り欠き部１０３３の一つの中心Ｇと光軸ＯＡとを結ぶ線に対してなす角度αが０°＜α＜６０°の範囲内であるように設けられている。
【００３４】
角度αが０°＜α＜５０°あるいは０°＜α＜４５°を満足するとより好ましい。なお、角度αに関する条件式の下限値を１０°あるいは２０°としてもよい。
【００３５】
また、角度αが前述の所定の範囲内であるように凸部１０３５が設けられている、とは次のように言い換えることができる。すなわち、レンズの光軸方向視において、第二のバー保持部材の複数の凹部のうちの一つの中心とレンズの光軸とを結ぶ線と、凸部の少なくとも一部とレンズの光軸を通る線とのなす角度をαとする。このとき、レンズ鏡筒が、前述の角度範囲に関する条件式を満足する。
【００３６】
図９は、調整コマ１０１４を３群ベース１０１３側から見た図（調整コマ１０１４を５群鏡筒１０１２に組み込む過程の状態を示す図）である。図９は、調整コマ１０１４の突起部１０３０が５群鏡筒１０１２に形成された半球状の凸部１０３５と光軸直交平面で重なっている状態を示している。図１０は、図９中のＣ−Ｃ断面図である。調整コマ１０１４の突起部１０３０が５群鏡筒１０１２の半球状の凸部１０３５と干渉している。この状態は、調整コマ１０１４を５群鏡筒１０１２に対して図６から図７へ回転（変位）させる過程の状態である。
【００３７】
実際には、調整コマ１０１４の突起部１０３０が変形することにより、調整コマ１０１４は５群鏡筒１０１２の半球状の凸部１０３５を乗り越える。また、凸部１０３５の光軸方向の突出量は、フランジ部１０４５の面と調整コマ１０１４の複数の突起部１０３０のそれぞれとの隙間１０３４よりも大きい。このため、一度、調整コマ１０１４を５群鏡筒１０１２に組み込むと、調整コマ１０１４は簡単には図６に示される組み込み位置（組み込み位相）まで回転することはない。これにより、調整コマ１０１４を５群鏡筒１０１２に組み込んだ後、調整コマ１０１４の脱落が防止される。前述のように、調整コマ１０１４は、５群鏡筒１０１２に対して光軸直交平面内で移動することにより、ガイドバー１０１５を倒す（ガイドバー１０１５が傾斜する）。
【００３８】
部品の組み立て工程において、調整コマ１０１４を５群鏡筒１０１２に組み込む工程と、調整コマ１０１４を５群鏡筒１０１２に対して光軸直交平面内で移動することでガイドバー１０１５を倒す光学調整の工程とは必ずしも同時には行われない。このため、本実施例における調整コマ１０１４の脱落防止構造は、調整コマ１０１４を５群鏡筒１０１２に組み込んだ後に、部品の紛失や作業のやり直しを抑制することに対して効果的である。光学調整後、調整コマ１０１４の突き当て面１０２６を形成する外形部１０２９と５群鏡筒１０１２の突き当て面１０２５とに渡って塗布される接着剤により、調整コマ１０１４と５群鏡筒１０１２とが互いに固定される。
【００３９】
本実施例によれば、レンズホルダをガイドするガイドバーを備えた、組み立て容易な小型のレンズ鏡筒および撮像装置を提供することができる。
【実施例２】
【００４０】
次に、図１１乃至図１５を参照して、本発明の実施例２におけるレンズ鏡筒について説明する。本実施例のレンズ鏡筒は、５群鏡筒１０１２（開口部１０２８）および調整コマ１０１４に代えて、５群鏡筒１０１２ａ（開口部１０２８ａ）および調整コマ１０１４ａを有する点で（脱落防止構造の形状の点で）、実施例１のレンズ鏡筒とは異なる。本実施例のレンズ鏡筒のその他の構成は、図１を参照して説明した実施例１のレンズ鏡筒１００と同様であるため、その説明を省略する。
【００４１】
図１１は、本実施例における調整コマ１０１４ａの斜視図である。図１２は、図１１の反対側から見た調整コマ１０１４ａの斜視図である。突起部１０３６は、調整コマ１０１４ａに一体的に形成された腕部である。本実施例では、少なくとも２つ以上の突起部１０３６が設けられている。突起部１０３６の最外形部１０３７は、実施例１の突起部１０３０の最外形部１０３１と同様に、５群鏡筒１０１２の開口部１０２８よりも大きい。また、調整コマ１０１４ａが開口部１０２８ａの光軸直交平面内の移動が規制されるまで移動した場合でも、突起部１０３６の最外形部１０３７は必ず５群鏡筒１０１２ａの開口部１０２８ａよりも径大な位置にある。
【００４２】
図１３は、３群ベース１０１３側から見た５群鏡筒１０１２ａである。図１３に示されるように、本実施例の５群鏡筒１０１２ａには、全周繋がった形状を有する開口部１０２８ａが形成されている。本実施例において、調整コマ１０１４ａの５群鏡筒１０１２ａへの組み込みは、調整コマ１０１４ａを５群鏡筒１０１２ａに押し込み、調整コマ１０１４ａの突起部１０３６を変形させながら行われる。すなわち複数の突起部１０３６は、調整コマ１０１４ａを５群鏡筒１０１２ａへ挿入する際に変形することが可能である。
【００４３】
図１４は、調整コマ１０１４ａを５群鏡筒１０１２ａに組み込む過程の状態を示す断面図である。図１４において、調整コマ１０１４ａを５群鏡筒１０１２ａに組み込む際に突起部１０３６が変形した状態を破線で示している。図１４中の矢印Ｄの方向へ調整コマ１０１４ａが移動し、５群鏡筒１０１２ａに組み込まれる。
【００４４】
図１５は、調整コマ１０１４ａが５群鏡筒１０１２ａに組み込まれた状態を示す断面図である。実施例１と同様に、調整コマ１０１４ａが５群鏡筒１０１２ａに組み込まれた状態で、調整コマ１０１４ａの突起部１０３６と５群鏡筒１０１２ａとの間には隙間１０３８がある。光学調整後、調整コマ１０１４ａの突き当て面１０２６を形成する外形部１０２９と５群鏡筒１０１２の突き当て面１０２５とに渡って塗布される接着剤により、調整コマ１０１４ａと５群鏡筒１０１２ａとが互いに固定される。
【００４５】
本実施例によれば、レンズホルダをガイドするガイドバーを備えた、組み立て容易な小型のレンズ鏡筒および撮像装置を提供することができる。
【実施例３】
【００４６】
次に、図１６および図１７を参照して、本発明の実施例３におけるレンズ鏡筒について説明する。本実施例は、マウント１００１（ホルダ）に設けられたカバーガラス１０５１（光学素子）の保持構造に関する。
【００４７】
図１６は、本実施例におけるレンズ鏡筒（カバーガラス１０５１がマウント１００１に挿入された状態）を被写体側から見た図である。カバーガラス１０５１は正多角形（本実施例では正方形）の形状を有する。また本実施例のレンズ鏡筒には、カバーガラス１０５１をマウント１００１に固定するカシメツメ１０５３（固定部）が設けられている。カバーガラス１０５１の４つの辺１０５２のそれぞれに対応するマウント１００１のカシメツメ１０５３（固定部）で熱カシメすることにより、マウント１００１からカバーガラス１０５１の脱落を防止する。
【００４８】
カシメツメ幅１０５４（カシメツメの範囲）は、カバーガラス１０５１の辺１０５２の全体の長さよりも短く、かつ、カバーガラス１０５１の辺１０５２の中心を含み、それぞれの辺１０５２に等分に配置されている。カシメツメ幅１０５４がカバーガラス１０５１の辺１０５２よりも短いのは、カバーガラス１０５１のカシメを安定して行うためである。すなわち、カシメによりカシメツメ１０５３が溶かされて潰れると、カバーガラス１０５１の四隅は垂直方向のカシメツメと水平方向のカシメツメとが互いに折り重なり、カバーガラス１０５１の四隅は安定したカシメを行うことが難しいためである。このように本実施例において、カシメツメ１０５３は、カバーガラス１０５１とマウント１００１の各辺の中心を含み、かつ、各辺の交点を除く箇所において、カバーガラス１０５１をマウント１００１に固定している。
【００４９】
本実施例では、カバーガラス１０５１の固定保持として熱カシメを例に挙げているが、固定保持の手段（固定部）はこれに限定されるものではない。紫外線硬化ガタの接着剤やその他種類の接着剤などの固定部を用いてカバーガラス１０５１をマウント１００１に固定してもよい。この場合、固定手段とカバーガラス１０５１との接触範囲は、安定した固定を行うため、カシメツメ幅１０５４と同等であることが好ましい。接着剤（固定手段）がカバーガラス１０５１のそれぞれの辺１０５２の全域に塗布されると、カバーガラス１０５１の四隅は、垂直方向と水平方向から接着剤による応力がかかる。その結果、カバーガラス１０５１の四隅は各辺の中心付近と比べて、ガラスの歪み方が大きくなり、ガラスの歪み方をより均一にすることが難しい。
【００５０】
本実施例において、マウント１００１には、カバーガラス１０５１の光軸直交平面内での移動を規制する移動規制部（不図示）が設けられている。また本実施例において、カバーガラス１０５１は、曲率を持たない平板状のガラス（光学素子）である。光学的なパワーを持たない平板状のガラスを最も撮像素子側（像面側）にあるマウント１００１に固定保持することにより、レンズ鏡筒の内部へのゴミの浸入を防止することができる。また、レンズ鏡筒の内部配置の自由度を上げ、光軸方向のスペースを確保するため、カバーガラス１０５１は薄いことが好ましい。また、低コスト化のため、大きな平板状のガラスから切り出して作成できるように、カバーガラス１０５１の形状は矩形（正方形）であることが好ましい。
【００５１】
図１７は、図１６中のＥ−Ｅ断面図である。１０５５は、カバーガラス１０５１の受け面である。１０５８は、マウント１００１の内径部の開口である。カシメツメ１０５３のハッチング部１０５６を熱カシメにより溶かして、破線形状１０５７となるように変形し、マウント１００１からのカバーガラス１０５１の脱落を防止する。
【００５２】
前述のように、カバーガラス１０５１の形状が矩形である場合、外形形状が円形のガラスに比べ、光軸直交平面内での光軸中心からの外形までの距離が均一ではない。このため、熱カシメをする際に、光軸中心に対し、点対称なガラスの歪み方をしない。カバーガラス１０５１の外形形状が長方形の場合、短辺側と長辺側とでガラスの歪み方が互いに異なる。従って、低コスト化を考慮して、カバーガラス１０５１を大きな平板状のガラスから切り出して作成するため、カバーガラス１０５１の外形形状は正方形であることが好ましい。カバーガラス１０５１を正方形とすることにより、熱カシメをする際に光軸中心に対してのガラスの歪み方がより抑制される。
【００５３】
本実施例によれば、光学素子の歪みを均一にして光学性能の劣化を抑制するレンズ鏡筒および撮像装置を提供することができる。
【００５４】
次に、図１８を参照して、各実施例における撮像装置について説明する。図１８は、撮像装置２００（一眼レフカメラ）の構成図である。図１８において、レンズ鏡筒１００（交換レンズ）は、撮像光学系１（レンズユニット）を有する。カメラボディ２０（撮像装置本体）は、クイックリターンミラー３、焦点板４、ペンタダハプリズム５、および、接眼レンズ６などを備えて構成されている。クイックリターンミラー３は、撮像光学系１を介して形成された光束を上方に反射する。焦点板４は、撮像光学系１の像形成位置に配置されている。ペンタダハプリズム５は、焦点板４に形成された逆像を正立像に変換する。ユーザは、その正立像を、接眼レンズ６を介して観察することができる。
【００５５】
撮像素子７は、ＣＣＤセンサやＣＭＯＳセンサを備え、撮像光学系１を介して形成された光学像（被写体像）を光電変換して画像データを出力する。撮影時には、クイックリターンミラー３が光路から退避して、撮像光学系１を介して撮像素子７上に光学像が形成される。制御部１０は、ＣＰＵを有し、撮像装置２００の各部の動作を制御する。
【００５６】
なお撮像装置２００は、撮像素子７を有するカメラボディ２０と、カメラボディ２０に着脱可能に取り付けられたレンズ鏡筒１００とにより構成されているが、これに限定されるものはない。カメラボディとレンズ鏡筒とが一体的に構成された撮像装置であってもよいし、クイックリターンミラーのないミラーレスの一眼レフカメラ（ミラーレスカメラ）であってもよい。
【００５７】
以上、本発明の好ましい実施例について説明したが、本発明はこれらの実施例に限定されず、その要旨の範囲内で種々の変形及び変更が可能である。
【００５８】
例えば、実施例１、２において、複数の突起部１０３０、１０３６は調整コマ１０１４、１０１４ａ（第二のバー保持部材）に設けられ、フランジ部１０４５は５群鏡筒１０１２（ベース部材）に設けられている。ただし各実施例は、これに限定されるものではなく、互いに逆の構成であってもよい。すなわち各実施例において、第二のバー保持部材とベース部材の一方には、鍔部よりも第一のバー保持部材に近い側に設けられ、ベース部材の開口部の開口径よりも大きい外径を有する複数の突起部１０３０、１０３６が設けられている。また、第二のバー保持部材とベース部材の他方には、鍔部と突起部との間に位置するフランジ部１０４５が設けられている。
【符号の説明】
【００５９】
１００    レンズ鏡筒
１０１１  ４群鏡筒（レンズホルダ）
１０１２  ５群鏡筒（ベース部材）
１０１３  ３群ベース（第一のバー保持部材）
１０１４  調整コマ（第二のバー保持部材）
１０１５  ガイドバー（バー部材）
【図１】
2018077381.tif 000003
【図２】
2018077381.tif 000004
【図３】
2018077381.tif 000005
【図４】
2018077381.tif 000006
【図５】
2018077381.tif 000007
【図６】
2018077381.tif 000008
【図７】
2018077381.tif 000009
【図８】
2018077381.tif 000010
【図９】
2018077381.tif 000011
【図１０】
2018077381.tif 000012
【図１１】
2018077381.tif 000013
【図１２】
2018077381.tif 000014
【図１３】
2018077381.tif 000015
【図１４】
2018077381.tif 000016
【図１５】
2018077381.tif 000017
【図１６】
2018077381.tif 000018
【図１７】
2018077381.tif 000019
【図１８】
2018077381.tif 000020